(57)【要約】  本発明は、上り信号の伝送方法を開示し、端末デバイスが前記端末デバイスのアンテナアレイブロックの数に基づいてターゲットコードブックを確定することと、前記端末デバイスが前記ターゲットコードブック内のコードワードを利用して上り信号を伝送することとを含む。本発明の実施例は、また、デバイスを提供し、本発明の実施例を利用することで、全てのアンテナアレイブロックから一部のアンテナアレイブロックを選択して上り信号を伝送することができる。
2020515139.tif 000002
【特許請求の範囲】
【請求項１】
端末デバイスが、前記端末デバイスのアンテナアレイブロックの数に基づいてターゲットコードブックを確定することと、
前記端末デバイスが前記ターゲットコードブック内のコードワードを利用して上り信号を伝送することとを含む
ことを特徴とする上り信号の伝送方法。
【請求項２】
前記端末デバイスが前記端末デバイスのアンテナアレイブロックの数に基づいてターゲットコードブックを確定する前に、
前記端末デバイスがネットワークデバイスに上りシグナリングを送信することをさらに含み、
前記上りシグナリングには前記端末デバイスのアンテナアレイブロックの数が含まれ、前記端末デバイスのアンテナアレイブロックの数は、前記ネットワークデバイスが前記ターゲットコードブックを確定するために用いられる
ことを特徴とする請求項１に記載の上り信号の伝送方法。
【請求項３】
前記端末デバイスと前記ネットワークデバイスとがＭ個のコードブックを予め合意し、各コードブックが少なくとも１つのアンテナアレイブロックの数に対応し、
前記端末デバイスが前記端末デバイスのアンテナアレイブロックの数に基づいてターゲットコードブックを確定することは、
前記端末デバイスがコードブックとアンテナアレイブロックの数とのマッピング関係に基づいて、前記端末デバイスのアンテナアレイブロックの数に対応するターゲットコードブックを確定することを含む
ことを特徴とする請求項１又は２に記載の上り信号の伝送方法。
【請求項４】
前記端末デバイスと前記ネットワークデバイスとが１つのプリセットコードブックを予め合意し、
前記端末デバイスが前記端末デバイスのアンテナアレイブロックの数に基づいてターゲットコードブックを確定することは、
前記端末デバイスが前記端末デバイスのアンテナアレイブロックの数に基づいて前記プリセットコードブックからターゲットコードブックを確定することを含む
ことを特徴とする請求項１又は２に記載の上り信号の伝送方法。
【請求項５】
前記端末デバイスのアンテナアレイブロックの数が１より大きい場合、前記ターゲットコードブックにはアンテナアレイブロックの選択コードワードが含まれ、前記アンテナアレイブロックの選択コードワードは、上り信号の伝送に使用するターゲットアンテナアレイブロックを選択するために用いられる
ことを特徴とする請求項１〜４のいずれか１項に記載の上り信号の伝送方法。
【請求項６】
前記アンテナアレイブロックの選択コードワードは、アンテナアレイブロックの選択ベクトルとアンテナアレイブロック内のプリコーディング行列とのクロネッカー積である
ことを特徴とする請求項５に記載の上り信号の伝送方法。
【請求項７】
前記アンテナアレイブロックの選択コードワードは、Ｗ個のアンテナアレイブロックに対応するプリコーディング行列を行ベクトルとして構成したベクトル行列であり、前記Ｗが１より大きい整数である
ことを特徴とする請求項５に記載の上り信号の伝送方法。
【請求項８】
前記アンテナアレイブロックの選択コードワードは、Ｌ個のプリコーディングベクトルを列ベクトルとして構成したベクトル行列であり、前記Ｌが１より大きい整数であり、
前記ベクトル行列内のｉ番目の列ベクトルは、アンテナアレイブロックの選択ベクトルとｉ番目の伝送層のデータを伝送するアンテナアレイブロックが使用するプリコーディングベクトルとのクロネッカー積であり、前記ｉが１〜Ｌの任意の数である
ことを特徴とする請求項５に記載の上り信号の伝送方法。
【請求項９】
前記方法は、さらに、
前記端末デバイスが前記ネットワークデバイスにより送信されたプリコーディング指示（ＰＭＩ）情報を受信することを含み、
前記端末デバイスが前記ターゲットコードブック内のコードワードを利用して上り信号を伝送することは、
前記端末デバイスが前記ＰＭＩ情報に基づいて前記ターゲットコードブック内のターゲットコードワードを確定することと、
前記端末デバイスが前記ターゲットコードワードに基づいて、上り信号に対しプリコーディングを行い、プリコーディングされた上り信号を伝送することとを含む
ことを特徴とする請求項１〜８のいずれか１項に記載の上り信号の伝送方法。
【請求項１０】
前記端末デバイスのアンテナアレイブロックの数がＷであり、前記Ｗが１より大きい整数であり、前記端末デバイスが前記ネットワークデバイスにより送信されたＰＭＩ情報を受信する前に、前記方法は、さらに、
前記端末デバイスが前記Ｗ個のアンテナアレイブロックをそれぞれ利用してチャネルサウンディング基準信号（ＳＲＳ）を伝送することを含み、
前記ＳＲＳは、前記ネットワークデバイスが前記ＰＭＩ情報を確定するために用いられる
ことを特徴とする請求項９に記載の上り信号の伝送方法。
【請求項１１】
前記端末デバイスが前記Ｗ個のアンテナアレイブロックをそれぞれ利用してＳＲＳを伝送することは、前記端末デバイスがそれぞれ異なるタイミングで前記Ｗ個のアンテナアレイブロックを利用してＳＲＳを伝送することを含む
ことを特徴とする請求項１０に記載の上り信号の伝送方法。
【請求項１２】
端末デバイスがネットワークデバイスに上りシグナリングを送信することと、
前記端末デバイスが前記ネットワークデバイスにより送信されたアンテナアレイブロックの指示情報を受信することと、
前記端末デバイスが前記アンテナアレイブロックの指示情報に基づいて前記端末デバイスのアンテナアレイブロックから上り信号を伝送するためのターゲットアンテナアレイブロックを確定し、前記ターゲットアンテナアレイブロックを利用して上り信号を伝送することとを含み、
前記上りシグナリングには前記端末デバイスのアンテナアレイブロックの数が含まれる
ことを特徴とする上り信号の伝送方法。
【請求項１３】
前記端末デバイスが前記ネットワークデバイスにより送信されたアンテナアレイブロックの指示情報を受信することは、
前記端末デバイスが前記ネットワークデバイスにより送信された高レイヤのシグナリング又は上り信号の伝送をスケジューリングするための下り制御情報（ＤＣＩ）を受信することを含み、
前記高レイヤのシグナリング又は前記ＤＣＩには前記アンテナアレイブロックの指示情報が含まれる
ことを特徴とする請求項１２に記載の上り信号の伝送方法。
【請求項１４】
前記端末デバイスのアンテナアレイブロックの数がＷであり、前記Ｗが１より大きい整数であり、前記端末デバイスが前記ネットワークデバイスにより送信されたアンテナアレイブロックの指示情報を受信する前に、前記方法は、さらに、
前記端末デバイスが前記Ｗ個のアンテナアレイブロックをそれぞれ利用してチャネルサウンディング基準信号（ＳＲＳ）を伝送することを含み、
前記ＳＲＳは、前記ネットワークデバイスが前記アンテナアレイブロックの指示情報を確定するために用いられる
ことを特徴とする請求項１２又は１３に記載の上り信号の伝送方法。
【請求項１５】
前記端末デバイスが前記Ｗ個のアンテナアレイブロックをそれぞれ利用してＳＲＳを伝送することは、前記端末デバイスがそれぞれ異なるタイミングで前記Ｗ個のアンテナアレイブロックを利用してＳＲＳを伝送することを含む
ことを特徴とする請求項１４に記載の上り信号の伝送方法。
【請求項１６】
ネットワークデバイスが端末デバイスにより送信された上りシグナリングを受信することと、
前記ネットワークデバイスが前記端末デバイスのアンテナアレイブロックの数に基づいてターゲットコードブックを確定することと、
前記ネットワークデバイスが前記端末デバイスにプリコーディング指示（ＰＭＩ）情報を送信することとを含み、
前記上りシグナリングには前記端末デバイスのアンテナアレイブロックの数が含まれ、
前記ＰＭＩ情報は、前記端末デバイスが前記ターゲットコードブック内のコードワードを利用して上り信号を伝送するように指示する
ことを特徴とする上り信号の伝送方法。
【請求項１７】
前記端末デバイスと前記ネットワークデバイスとがＭ個のコードブックを予め合意し、各コードブックが少なくとも１つのアンテナアレイブロックの数に対応し、前記ネットワークデバイスが前記端末デバイスのアンテナアレイブロックの数に基づいてターゲットコードブックを確定することは、
前記ネットワークデバイスがコードブックとアンテナアレイブロックの数とのマッピング関係に基づいて、前記端末デバイスのアンテナアレイブロックの数に対応するターゲットコードブックを確定することを含む
ことを特徴とする請求項１６に記載の上り信号の伝送方法。
【請求項１８】
前記端末デバイスと前記ネットワークデバイスとが１つのプリセットコードブックを予め合意し、前記ネットワークデバイスが前記端末デバイスのアンテナアレイブロックの数に基づいてターゲットコードブックを確定することは、
前記ネットワークデバイスが前記端末デバイスのアンテナアレイブロックの数に基づいて前記プリセットコードブックからターゲットコードブックを確定することを含む
ことを特徴とする請求項１６に記載の上り信号の伝送方法。
【請求項１９】
前記端末デバイスのアンテナアレイブロックの数が１より大きい場合、前記ターゲットコードブックにはアンテナアレイブロックの選択コードワードが含まれ、前記アンテナアレイブロックの選択コードワードは、上り信号の伝送に使用するターゲットアンテナアレイブロックを選択するために用いられる
ことを特徴とする請求項１６〜１８のいずれか１項に記載の上り信号の伝送方法。
【請求項２０】
前記端末デバイスのアンテナアレイブロックの数がＷであり、前記Ｗが１より大きい整数であり、前記ネットワークデバイスが前記端末デバイスにＰＭＩ情報を送信する前に、前記方法は、さらに、
前記ネットワークデバイスが、前記端末デバイスが前記Ｗ個のアンテナアレイブロックをそれぞれ利用して伝送するチャネルサウンディング基準信号（ＳＲＳ）を受信することと、
前記ネットワークデバイスが前記ＳＲＳに基づいて前記ＰＭＩ情報を確定することとを含む
ことを特徴とする請求項１６〜１９のいずれか１項に記載の上り信号の伝送方法。
【請求項２１】
ネットワークデバイスが端末デバイスにより送信された上りシグナリングを受信することと、
前記ネットワークデバイスが前記端末デバイスにアンテナアレイブロックの指示情報を送信することとを含み、
前記上りシグナリングには前記端末デバイスのアンテナアレイブロックの数が含まれ、
前記アンテナアレイブロックの指示情報は、前記端末デバイスが前記端末デバイスのアンテナアレイブロックから上り信号を伝送するためのターゲットアンテナアレイブロックを確定し、前記ターゲットアンテナアレイブロックを利用して上り信号を伝送するために用いられる
ことを特徴とする上り信号の伝送方法。
【請求項２２】
前記ネットワークデバイスが前記端末デバイスにアンテナアレイブロックの指示情報を送信することは、
前記ネットワークデバイスが前記端末デバイスに高レイヤのシグナリング又は上り信号の伝送をスケジューリングするための下り制御情報（ＤＣＩ）を送信することを含み、
前記高レイヤのシグナリング又は前記ＤＣＩには前記アンテナアレイブロックの指示情報が含まれる
ことを特徴とする請求項２１に記載の上り信号の伝送方法。
【請求項２３】
前記端末デバイスのアンテナアレイブロックの数がＷであり、前記Ｗが１より大きい整数であり、前記ネットワークデバイスが前記端末デバイスにアンテナアレイブロックの指示情報を送信する前に、前記方法は、さらに、
前記ネットワークデバイスが、前記端末デバイスが前記Ｗ個のアンテナアレイブロックをそれぞれ利用して伝送するチャネルサウンディング基準信号（ＳＲＳ）を受信することと、
前記ネットワークデバイスが前記ＳＲＳに基づいて前記アンテナアレイブロックの指示情報を確定することとを含む
ことを特徴とする請求項２１又は２２に記載の上り信号の伝送方法。
【請求項２４】
前記端末デバイスのアンテナアレイブロックの数に基づいてターゲットコードブックを確定し、前記ターゲットコードブック内のコードワードを利用して上り信号を伝送するように構成される処理モジュールを含む
ことを特徴とする端末デバイス。
【請求項２５】
前記端末デバイスは、さらに、送信モジュールを含み、
前記送信モジュールは、ネットワークデバイスに上りシグナリングを送信するように構成され、
前記上りシグナリングには前記端末デバイスのアンテナアレイブロックの数が含まれ、前記端末デバイスのアンテナアレイブロックの数は、前記ネットワークデバイスが前記ターゲットコードブックを確定するために用いられる
ことを特徴とする請求項２４に記載の端末デバイス。
【請求項２６】
前記端末デバイスと前記ネットワークデバイスとがＭ個のコードブックを予め合意し、各コードブックが少なくとも１つのアンテナアレイブロックの数に対応し、
前記処理モジュールは、コードブックとアンテナアレイブロックの数とのマッピング関係に基づいて、前記端末デバイスのアンテナアレイブロックの数に対応するターゲットコードブックを確定するように構成される
ことを特徴とする請求項２４又は２５に記載の端末デバイス。
【請求項２７】
前記端末デバイスと前記ネットワークデバイスとが１つのプリセットコードブックを予め合意し、
前記処理モジュールは、前記端末デバイスのアンテナアレイブロックの数に基づいて前記プリセットコードブックからターゲットコードブックを確定するように構成される
ことを特徴とする請求項２４又は２５に記載の端末デバイス。
【請求項２８】
前記端末デバイスのアンテナアレイブロックの数が１より大きい場合、前記ターゲットコードブックにはアンテナアレイブロックの選択コードワードが含まれ、前記アンテナアレイブロックの選択コードワードは、上り信号の伝送に使用するターゲットアンテナアレイブロックを選択するために用いられる
ことを特徴とする請求項２４〜２７のいずれか１項に記載の端末デバイス。
【請求項２９】
前記アンテナアレイブロックの選択コードワードは、アンテナアレイブロックの選択ベクトルとアンテナアレイブロック内のプリコーディング行列とのクロネッカー積である
ことを特徴とする請求項２８に記載の端末デバイス。
【請求項３０】
前記アンテナアレイブロックの選択コードワードは、Ｗ個のアンテナアレイブロックに対応するプリコーディング行列を行ベクトルとして構成したベクトル行列であり、前記Ｗが１より大きい整数である
ことを特徴とする請求項２８に記載の端末デバイス。
【請求項３１】
前記アンテナアレイブロックの選択コードワードは、Ｌ個のプリコーディングベクトルを列ベクトルとして構成したベクトル行列であり、前記Ｌが１より大きい整数であり、
前記ベクトル行列内のｉ番目の列ベクトルは、アンテナアレイブロックの選択ベクトルとｉ番目の伝送層のデータを伝送するアンテナアレイブロックが使用するプリコーディングベクトルとのクロネッカー積であり、前記ｉが１〜Ｌの任意の数である
ことを特徴とする請求項２８に記載の端末デバイス。
【請求項３２】
前記端末デバイスは、さらに、受信モジュールを含み
前記受信モジュールは、前記ネットワークデバイスにより送信されたプリコーディング指示（ＰＭＩ）情報を受信するように構成され、
前記処理モジュールは、前記ＰＭＩ情報に基づいて前記ターゲットコードブック内のターゲットコードワードを確定し、前記ターゲットコードワードに基づいて上り信号に対しプリコーディングを行い、プリコーディングされた上り信号を伝送するように構成される
ことを特徴とする請求項２４〜３１のいずれか１項に記載の端末デバイス。
【請求項３３】
前記端末デバイスのアンテナアレイブロックの数がＷであり、前記Ｗが１より大きい整数であり、
前記送信モジュールは、さらに、前記Ｗ個のアンテナアレイブロックをそれぞれ利用してチャネルサウンディング基準信号（ＳＲＳ）を伝送するように構成され、
前記ＳＲＳは、前記ネットワークデバイスが前記ＰＭＩ情報を確定するために用いられる
ことを特徴とする請求項３２に記載の端末デバイス。
【請求項３４】
前記送信モジュールは、
それぞれ異なるタイミングで前記Ｗ個のアンテナアレイブロックを利用してＳＲＳを伝送するように構成される
ことを特徴とする請求項３３に記載の端末デバイス。
【請求項３５】
ネットワークデバイスに上りシグナリングを送信するように構成される送信モジュールと、
前記ネットワークデバイスにより送信されたアンテナアレイブロックの指示情報を受信するように構成される受信モジュールと、
前記アンテナアレイブロックの指示情報に基づいて前記端末デバイスのアンテナアレイブロックから上り信号を伝送するためのターゲットアンテナアレイブロックを確定し、前記ターゲットアンテナアレイブロックを利用して上り信号を伝送するように構成される処理モジュールとを含み、
前記上りシグナリングには前記端末デバイスのアンテナアレイブロックの数が含まれる
ことを特徴とする端末デバイス。
【請求項３６】
前記受信モジュールは、前記ネットワークデバイスにより送信された高レイヤのシグナリング又は上り信号の伝送をスケジューリングするための下り制御情報（ＤＣＩ）を受信するように構成され、
前記高レイヤのシグナリング又は前記ＤＣＩには前記アンテナアレイブロックの指示情報が含まれる
ことを特徴とする請求項３５に記載の端末デバイス。
【請求項３７】
前記端末デバイスのアンテナアレイブロックの数がＷであり、前記Ｗが１より大きい整数であり、
前記送信モジュールは、さらに、前記Ｗ個のアンテナアレイブロックをそれぞれ利用してチャネルサウンディング基準信号（ＳＲＳ）を伝送するように構成され、
前記ＳＲＳは、前記ネットワークデバイスが前記アンテナアレイブロックの指示情報を確定するために用いられる
ことを特徴とする請求項３５又は３６に記載の端末デバイス。
【請求項３８】
前記送信モジュールは、それぞれ異なるタイミングで前記Ｗ個のアンテナアレイブロックを利用してＳＲＳを伝送するように構成される
ことを特徴とする請求項３７に記載の端末デバイス。
【請求項３９】
端末デバイスにより送信された上りシグナリングを受信するように構成される受信モジュールと
前記端末デバイスのアンテナアレイブロックの数に基づいてターゲットコードブックを確定するように構成される処理モジュールと、
前記端末デバイスにプリコーディング指示（ＰＭＩ）情報を送信するように構成される送信モジュールとを含み、
前記上りシグナリングには前記端末デバイスのアンテナアレイブロックの数が含まれ、
前記ＰＭＩ情報は、前記端末デバイスが前記ターゲットコードブック内のコードワードを利用して上り信号を伝送するように指示する
ことを特徴とするネットワークデバイス。
【請求項４０】
前記端末デバイスと前記ネットワークデバイスとがＭ個のコードブックを予め合意し、各コードブックが少なくとも１つのアンテナアレイブロックの数に対応し、
前記処理モジュールは、コードブックとアンテナアレイブロックの数とのマッピング関係に基づいて、前記端末デバイスのアンテナアレイブロックの数に対応するターゲットコードブックを確定するように構成される
ことを特徴とする請求項３９に記載のネットワークデバイス。
【請求項４１】
前記端末デバイスと前記ネットワークデバイスとが１つのプリセットコードブックを予め合意し、
前記処理モジュールは、前記端末デバイスのアンテナアレイブロックの数に基づいて前記プリセットコードブックからターゲットコードブックを確定するように構成される
ことを特徴とする請求項３９に記載のネットワークデバイス。
【請求項４２】
前記端末デバイスのアンテナアレイブロックの数が１より大きい場合、前記ターゲットコードブックにはアンテナアレイブロックの選択コードワードが含まれ、前記アンテナアレイブロックの選択コードワードは、上り信号の伝送に使用するターゲットアンテナアレイブロックを選択するために用いられる
ことを特徴とする請求項３９〜４１のいずれか１項に記載のネットワークデバイス。
【請求項４３】
前記端末デバイスのアンテナアレイブロックの数がＷであり、前記Ｗが１より大きい整数であり、
前記受信モジュールは、さらに、前記端末デバイスが前記Ｗ個のアンテナアレイブロックをそれぞれ利用して伝送するチャネルサウンディング基準信号（ＳＲＳ）を受信するように構成され、
前記処理モジュールは、さらに、前記ＳＲＳに基づいて前記ＰＭＩ情報を確定するように構成される
ことを特徴とする請求項３９〜４２のいずれか１項に記載のネットワークデバイス。
【請求項４４】
端末デバイスにより送信された上りシグナリングを受信するように構成される受信モジュールと、
前記端末デバイスにアンテナアレイブロックの指示情報を送信するように構成される送信モジュールとを含み、
前記上りシグナリングには前記端末デバイスのアンテナアレイブロックの数が含まれ、
前記アンテナアレイブロックの指示情報は、前記端末デバイスが前記端末デバイスのアンテナアレイブロックから上り信号を伝送するためのターゲットアンテナアレイブロックを確定し、前記ターゲットアンテナアレイブロックを利用して上り信号を伝送するために用いられる
ことを特徴とするネットワークデバイス。
【請求項４５】
前記送信モジュールは、高レイヤのシグナリング又は上り信号の伝送をスケジューリングするための下り制御情報（ＤＣＩ）を前記端末デバイスに送信するように構成され、
前記高レイヤのシグナリング又は前記ＤＣＩには前記アンテナアレイブロックの指示情報が含まれる
ことを特徴とする請求項４４に記載のネットワークデバイス。
【請求項４６】
前記端末デバイスのアンテナアレイブロックの数がＷであり、前記Ｗが１より大きい整数であり、
前記受信モジュールは、さらに、前記端末デバイスが前記Ｎ個のアンテナアレイブロックをそれぞれ利用して伝送するチャネルサウンディング基準信号（ＳＲＳ）を受信するように構成され、
前記端末デバイスは、さらに、処理モジュールを含み
前記処理モジュールは、前記ＳＲＳに基づいて前記アンテナアレイブロックの指示情報を確定するように構成される
ことを特徴とする請求項４４又は４５に記載のネットワークデバイス。
【発明の詳細な説明】
【技術分野】
【０００１】
本発明は通信技術分野に関し、特に、上り信号の伝送方法及びデバイスに関する。
【背景技術】
【０００２】
第５世代の移動通信技術（５Ｇ：５−Ｇｅｎｅｒａｔｉｏｎ）システムにおいて、端末デバイスは、１つの又は複数のアンテナアレイブロック（ａｎｔｅｎｎａ  ｐａｎｅｌ）を利用して上り信号を伝送する。アンテナアレイブロックの数が多いほど、対応するアンテナの数が大きくなり、要するＲＦチャネルが広くなる。端末デバイスが一定数のアンテナアレイブロックを通常に有し、全てのアンテナアレイブロックを利用して上り信号を伝送する場合、全てのアンテナアレイブロック対応するアンテナの数が大きいため、端末デバイスが対応する数のＲＦチャネルで全てのアンテナアレイブロックを利用して上り信号を伝送することができない可能性がある。そして、全てのアンテナアレイブロックから一部のアンテナアレイブロックをどのように選択して上り信号を伝送することは、解決しようとする課題である。
【発明の概要】
【０００３】
本発明の実施例は、上り信号を伝送するためのアンテナアレイブロックを選択することができる上り信号の伝送方法及びデバイスを提供する。
【０００４】
第１形態として、本発明の実施例は、上り信号の伝送方法を提供し、端末デバイスが、前記端末デバイスのアンテナアレイブロックの数に基づいてターゲットコードブックを確定することと、前記端末デバイスが前記ターゲットコードブック内のコードワードを利用して上り信号を伝送することとを含む。そして、本願の技術案は、全てのアンテナアレイブロックから一部のアンテナアレイブロックを選択して上り信号を伝送することができる。
【０００５】
第２形態として、本発明の実施例は上り信号の伝送方法を提供し、端末デバイスがネットワークデバイスに上りシグナリングを送信することと、前記端末デバイスが前記ネットワークデバイスにより送信されたアンテナアレイブロックの指示情報を受信することと、前記端末デバイスが前記アンテナアレイブロックの指示情報に基づいて前記端末デバイスのアンテナアレイブロックから上り信号を伝送するためのターゲットアンテナアレイブロックを確定し、前記ターゲットアンテナアレイブロックを利用して上り信号を伝送することとを含み、前記上りシグナリングには前記端末デバイスのアンテナアレイブロックの数が含まれる。そして、本願の技術案は、全てのアンテナアレイブロックから一部のアンテナアレイブロックを選択して上り信号を伝送することができる。
【０００６】
第３形態として、本発明の実施例は、上り信号の伝送方法を提供し、
ネットワークデバイスが端末デバイスにより送信された上りシグナリングを受信することと、
前記ネットワークデバイスが前記端末デバイスのアンテナアレイブロックの数に基づいてターゲットコードブックを確定することと、
前記ネットワークデバイスが前記端末デバイスにプリコーディング指示（ＰＭＩ）情報を送信することとを含み、
前記上りシグナリングには前記端末デバイスのアンテナアレイブロックの数が含まれ、前記ＰＭＩ情報は、前記端末デバイスが前記ターゲットコードブック内のコードワードを利用して上り信号を伝送するように指示する。
【０００７】
第４形態として、本発明の実施例は、上り信号の伝送方法を提供し、
ネットワークデバイスが端末デバイスにより送信された上りシグナリングを受信することと、
前記ネットワークデバイスが前記端末デバイスにアンテナアレイブロックの指示情報を送信することとを含み、
前記上りシグナリングには前記端末デバイスのアンテナアレイブロックの数が含まれ、前記アンテナアレイブロックの指示情報は、前記端末デバイスが前記端末デバイスのアンテナアレイブロックから上り信号を伝送するためのターゲットアンテナアレイブロックを確定し、前記ターゲットアンテナアレイブロックを利用して上り信号を伝送するために用いられる。
【０００８】
第５形態として、本発明の実施例は、プロセッサ、メモリ、送受信機及びバスを含む端末デバイスを提供し、前記プロセッサは、前記バスを介して前記メモリ及び前記送受信機に接続してその通信を実現し、前記メモリに実行可能なプログラム命令が記憶され、前記プロセッサは、前記実行可能なプログラムコードを実行して、本発明の実施例の第１形態に記載の方法を実現する。
【０００９】
第６形態として、本発明の実施例は、プロセッサ、メモリ、送受信機及びバスを含む端末デバイスを提供し、前記プロセッサは、前記バスを介して前記メモリ及び前記送受信機に接続してその通信を実現し、前記メモリに実行可能なプログラム命令が記憶され、前記プロセッサは、前記実行可能なプログラムコードを実行して、本発明の実施例の第２形態に記載の方法を実現する。
【００１０】
第７形態として、本発明の実施例は、プロセッサ、メモリ、送受信機及びバスを含むネットワークデバイスを提供し、前記プロセッサは、前記バスを介して前記メモリ及び前記送受信機に接続してその通信を実現し、前記メモリに実行可能なプログラム命令が記憶され、前記プロセッサは、前記実行可能なプログラムコードを実行して、本発明の実施例の第３形態に記載の方法を実現する。
【００１１】
第８形態として、本発明の実施例は、プロセッサ、メモリ、送受信機及びバスを含むネットワークデバイスを提供し、前記プロセッサは、前記バスを介して前記メモリ及び前記送受信機に接続してその通信を実現し、前記メモリに実行可能なプログラム命令が記憶され、前記プロセッサは、前記実行可能なプログラムコードを実行して、本発明の実施例の第４形態に記載の方法を実現する。
【００１２】
第９形態として、本発明は、本発明の実施例の第５形態において端末デバイスに使用するコンピュータソフトウェア命令を記憶するコンピュータ記憶媒体を提供し、本発明の実施例の第１形態に使用するプログラムを含む。
【００１３】
第１０形態として、本発明は、本発明の実施例の第６形態において端末デバイスに使用するコンピュータソフトウェア命令を記憶するコンピュータ記憶媒体を提供し、本発明の実施例の第２形態に使用するプログラムを含む。
【００１４】
第１１形態として、本発明は、本発明の実施例の第７形態においてネットワークデバイスに使用するコンピュータソフトウェア命令を記憶するコンピュータ記憶媒体を提供し、本発明の実施例の第３形態に使用するプログラムを含む。
【００１５】
第１２形態として、本発明は、本発明の実施例の第８形態においてネットワークデバイスに使用するコンピュータソフトウェア命令を記憶するコンピュータ記憶媒体を提供し、本発明の実施例の第４形態に使用するプログラムを含む。
【００１６】
第１３形態として、本発明の実施例は、本発明の実施例の第５形態に前記の端末デバイス及び本発明の実施例の第７形態に前記のネットワークデバイス、又は、本発明の実施例の第６形態に前記の端末デバイス及び本発明の実施例の第８形態に前記のネットワークデバイスを含む通信システムを提供する。
【００１７】
本発明の以上の形態又は他の形態は、以下の実施例により分かりやすくなる。
【図面の簡単な説明】
【００１８】
本開示の上記および他の特徴およびメリットは、添付の図面を参照して詳細に説明する例示的な実施形態により、より明らかになる。なお、以下の記載における図面はただ本発明の一部の実施例に過ぎず、当業者の場合、創造的な労働を付与しない前提で、これらの図面によって他の図面を得ることができる。
【図１】本発明の実施例におけるネットワークの構成の模式図である。
【図２】本発明の実施例における上り信号の伝送方法のフローチャートである。
【図３】本発明の実施例における他の上り信号の伝送方法のフローチャートである。
【図４】本発明の実施例におけるアンテナアレイブロックによりアンテナ番号付け及びプリコーディング行列の対応の模式図である。
【図５】本発明の実施例における例および行に従ってアンテナ番号付け及びプリコーディング行列の対応の模式図である。
【図６】本発明の実施例における端末デバイスの構成図である。
【図７】本発明の実施例における他の端末デバイスの構成図である。
【図８】本発明の実施例におけるネットワークデバイスの構成図である。
【図９】本発明の実施例における他のネットワークデバイスの構成図である。
【図１０】本発明の実施例におけるコンピューターデバイスの構成図である。
【発明を実施するための形態】
【００１９】
本発明の目的、技術案及び利点をより良く理解させるために、以下、本発明の実施例の図面を参考しながら、本発明の実施例の技術案をより明確且つ完全に説明し、説明される実施例は、単に本発明の一部の実施例に過ぎず、すべての実施例ではない。本発明の実施例に基づいて、当業者が創造的な労働を付与しない前提で得られた他の実施例の全ては、本発明の保護範囲に属する。
【００２０】
以下、詳細に説明する。
【００２１】
本発明の明細書、請求項及び図面において、「第１」、「第２」、「第３」及び「第４」等の用語は、異なる対象を区別し、特定の順番を決定するものではない。なお、「含む」、「有する」の用語及びそれの任意の変形は、排他的ではなく含むことを意味する。例えば、１連のステップ又はプロセス、方法、システム、製品又はデバイスを含み、記載されたステップ又はユニットに限定しなく、記載されないステップ又はプロセス、方法、システム、製品又はデバイスも含む。
【００２２】
ここの「実施例」は、実施例に記載された特定の特徴、構成又は特性が本発明の少なくとも１つの実施例に含まれることを意味する。明細書に記載された単語は、同じ実施例に記載されたものだけではなく、他の実施例に記載された排他的なものではない。本発明の実施例は他の実施例と結合しても良い。
【００２３】
図１を参照し、図１は本発明の実施例におけるネットワークの構成の模式図である。図１に示すネットワークの構成は、ネットワークデバイス１１０及び端末デバイス１２０を含む。ここで、端末デバイス１２０は、端末デバイス１２０のアンテナアレイブロックの数に基づいてターゲットコードブックを確定してから、前記ターゲットコードブック内のコードワードを利用してネットワークデバイス１１０に上り信号を伝送する。そして、端末デバイス１２０の全てのアンテナアレイブロックから一部のアンテナアレイブロックを柔軟に選択して上り信号を伝送することができる。
【００２４】
又は、他の実施例において、まず、端末デバイス１２０がネットワークデバイス１１０に上りシグナリングを送信し、当該上りシグナリングには端末デバイス１２０のアンテナアレイブロックの数が含まれ、次に、ネットワークデバイス１１０が端末デバイス１２０にアンテナアレイブロックの指示情報を送信し、端末デバイス１２０がアンテナアレイブロックの指示情報を受信した後、アンテナアレイブロックの指示情報に基づいて端末デバイス１２０のアンテナアレイブロックから上り信号を伝送するためのターゲットアンテナアレイブロックを確定し、ターゲットアンテナアレイブロックを利用してネットワークデバイス１１０に上り信号を伝送する。そして、端末デバイス１２０の全てのアンテナアレイブロックから一部のアンテナアレイブロックを選択して上り信号を伝送することができる。
【００２５】
ここで、ネットワークデバイス１１０は、ネットワーク側でのノードデバイスであり、例えば、セルラーネットワークにおいてアクセスネットワーク側での無線アクセスネットワーク（ＲＡＮ：Ｒａｄｉｏ  Ａｃｃｅｓｓ  Ｎｅｔｗｏｒｋ）デバイスであり、ここのＲＡＮデバイスは、端末を無線ネットワークにアクセスさせるデバイスであり、進化型のノードＢ（ｅｖｏｌｖｅｄ  Ｎｏｄｅ  Ｂ）、無線ネットワークコントローラー（ＲＮＣ：ｒａｄｉｏ  ｎｅｔｗｏｒｋ  ｃｏｎｔｒｏｌｌｅｒ）、ノードＢ（ＮＢ：Ｎｏｄｅ  Ｂ）、基地局コントローラー（ＢＳＣ：Ｂａｓｅ  Ｓｔａｔｉｏｎ  Ｃｏｎｔｒｏｌｌｅｒ）、基地局の送受信機（ＢＴＳ：Ｂａｓｅ  Ｔｒａｎｓｃｅｉｖｅｒ  Ｓｔａｔｉｏｎ）、家庭の基地局（例えば、Ｈｏｍｅ  ｅｖｏｌｖｅｄ  ＮｏｄｅＢ又はＨｏｍｅ  Ｎｏｄｅ  Ｂ）、ＢＢＵ（ＢａｓｅＢａｎｄ  Ｕｎｉｔ）、ＷＬＡＮ（Ｗｉｒｅｌｅｓｓ  Ｌｏｃａｌ  Ａｒｅａ  Ｎｅｔｗｏｒｋ）のノードデバイス、アクセスコントローラー（ａｃｃｅｓｓ  ｃｏｎｔｒｏｌｌｅｒ）、ゲートウェイ、又はＷＩＦＩアクセスポイント（Ａｃｃｅｓｓ Ｐｏｉｎｔ）等を含むが、これらに限定しない。
【００２６】
ここで、端末デバイス１２０は、ユーザーデバイス（Ｕｓｅｒ  Ｅｑｕｉｐｍｅｎｔ）であり、ユーザーに音声及び／又はデータを提供し、例えば、無線接続機能を有する携帯デバイス、車載デバイス等である。携帯電話、タブレット、ラップトップ、ＰＤＡ、モバイルインターネットデバイス（ＭＩＤ：ｍｏｂｉｌｅ ｉｎｔｅｒｎｅｔ ｄｅｖｉｃｅ）、ウェアラブルデバイス、スマートウォッチ、スマートブレスレット、歩数計等である。
【００２７】
以下、図１に示すネットワークの構成を参照して本発明の実施例における上り信号の伝送方法を説明する。
【００２８】
図２を参照し、図２は本発明の実施例における他の上り信号の伝送方法のフローチャートであり、以下のステップを含む。
【００２９】
ステップＳ２０１において、端末デバイスが、前記端末デバイスのアンテナアレイブロックの数に基づいてターゲットコードブックを確定する。
【００３０】
１つの実施例において、ステップＳ２０１の前に、前記方法は、さらに、ステップＳ２０３を含み
ステップＳ２０３において、前記端末デバイスが前記ネットワークデバイスに上りシグナリングを送信し、前記上りシグナリングには前記端末デバイスのアンテナアレイブロックの数が含まれる。
【００３１】
ステップＳ２０４において、前記ネットワークデバイスが前記上りシグナリングを受信し、前記ネットワークデバイスが前記端末デバイスのアンテナアレイブロックの数に基づいて前記ターゲットコードブックを確定する。
【００３２】
ここで、上記のシグナリングは、上り高レイヤのシグナリング、例えば無線リソース制御プロトコル（ＲＲＣ：Ｒａｄｉｏ  Ｒｅｓｏｕｒｃｅ  Ｃｏｎｔｒｏｌ）シグナリング等である。前記端末デバイスのアンテナアレイブロックの数は、現在の端末デバイスの全てのアンテナアレイブロックの数を示す。
【００３３】
１つの実施例において、前記端末デバイスのアンテナアレイブロックの数がＷであり、前記Ｗが１より大きい整数であり、前記方法は、さらに、以下のステップを含む
ステップＳ２０５において、前記端末デバイスが前記Ｗ個のアンテナアレイブロックをそれぞれ利用してチャネルサウンディング基準信号（ＳＲＳ：Ｓｏｕｎｄｉｎｇ  Ｒｅｆｅｒｅｎｃｅ  Ｓｉｇｎａｌ）を伝送する。
【００３４】
ステップＳ２０６において、前記ネットワークデバイスが、前記端末デバイスが前記Ｗ個のアンテナアレイブロックをそれぞれ利用して伝送する前記ＳＲＳを受信し、前記ＳＲＳに基づいてプリコーディング指示（ＰＭＩ）情報を確定する。
【００３５】
ステップＳ２０７において、前記ネットワークデバイスが前記端末デバイスに前記ＰＭＩ情報を送信し、前記ＰＭＩ情報は、前記端末デバイスが前記ターゲットコードブック内のコードワードを利用して上り信号を伝送するように指示し、前記端末デバイスが前記ネットワークデバイスからの前記ＰＭＩ情報を受信する。
【００３６】
具体的に、ＳＲＳは、上りチャネル検出に使用する参照信号であり、端末デバイスがＷ個のアンテナアレイブロックをそれぞれ利用してＳＲＳを伝送するため、ネットワークデバイスがＷ個のＳＲＳを受信する。ネットワークデバイスは、これらのＷ個のＳＲＳから、Ｗ個のアンテナアレイブロックの伝送性能を把握し、これらのＷ個のアンテナアレイブロックの伝送性能に基づいて１つの指示情報を確定する。この指示情報の内容は、端末デバイスがターゲットコードブック内のどのコードワードを利用して上り信号を伝送するかを指示し、ここで、ターゲットコードブック内の各コードワードが少なくとも１つのアンテナアレイブロックに対応する。
【００３７】
１つの実施例において、上記のステップＳ２０５において前記端末デバイスが前記Ｗ個のアンテナアレイブロックをそれぞれ利用してＳＲＳを伝送することは、前記端末デバイスがそれぞれ異なるタイミングで前記Ｗ個のアンテナアレイブロックを利用してＳＲＳを伝送することを含む。
【００３８】
具体的に、端末デバイスがそれぞれ異なるタイミングでＷ個のアンテナアレイブロックを利用してＳＲＳを伝送することは、端末デバイスが前記Ｗ個のアンテナアレイブロックを順番利用してＳＲＳを伝送することを含む。例えば、端末デバイスは、まず、第１アンテナアレイブロックを利用してＳＲＳを伝送し、次に、第２アンテナアレイブロックを利用してＳＲＳを伝送し、次に、第３アンテナアレイブロックを利用してＳＲＳを伝送し、以下も同様である。さらに、第１アンテナブロックを使用してＳＲＳを伝送するタイミングと第２アンテナアレイブロックを利用してＳＲＳを伝送するタイミングとの差は、プリセット時間閾値に等しく、第２アンテナブロックを使用してＳＲＳを伝送するタイミングと第３アンテナアレイブロックを利用してＳＲＳを伝送するタイミングとの差も、プリセット時間閾値に等しい。又は、端末デバイスが１回目のＳＲＳ送信に第１アンテナアレイブロックを使用し、２回目のＳＲＳ送信に第２アンテナアレイブロックを使用し、以下も同様である。
【００３９】
１つの実施例において、上記のステップＳ２０５において前記端末デバイスが前記Ｗ個のアンテナアレイブロックを利用してＳＲＳを伝送することは、前記端末デバイスが同じタイミングで前記Ｗ個のアンテナアレイブロックをそれぞれ利用してＳＲＳを伝送することを含む。
【００４０】
１つの実施例において、前記端末デバイスと前記ネットワークデバイスとがＭ個のコードブックを予め合意し、各コードブックが少なくとも１つのアンテナアレイブロックの数に対応し、前記ネットワークデバイス又は前記端末デバイスが前記端末デバイスのアンテナアレイブロックの数に基づいて前記ターゲットコードブックを確定することは、具体的に、前記端末デバイス又は前記ネットワークデバイスがコードブックとアンテナアレイブロックの数とのマッピング関係に基づいて、前記端末デバイスのアンテナアレイブロックの数に対応するターゲットコードブックを確定することを含む。
【００４１】
例えば、端末デバイスのアンテナアレイブロックの数の値が１、２、４であり、１、２、４個のアンテナアレイブロックに対し、１つの対応するコードブックをそれぞれ合意する。１がコードブック１に対応し、２がコードブック２に対応し、４がコードブック３に対応し、アンテナアレイブロックの数が４である場合、ターゲットコードブックがコードブック３である。
【００４２】
１つの実施例において、前記端末デバイス又は前記ネットワークデバイスと前記ネットワークデバイスとは、１つのプリセットコードブックを合意し、前記端末デバイスが前記端末デバイスのアンテナアレイブロックの数に基づいてターゲットコードブックを確定することは、前記端末デバイス又はネットワークデバイスが前記端末デバイスのアンテナアレイブロックの数に基づいて前記プリセットコードブックからターゲットコードブックを確定することを含む。
【００４３】
具体的に、前記プリセットコードブックは、アンテナアレイブロックの最大数に対するコードブックであり。例えば、アンテナアレイブロックの数がＷであり、１つのアンテナアレイブロックのアンテナ数又は１つのアンテナアレイブロックのＲＦ（Ｒａｄｉｏ  Ｆｒｅｑｕｅｎｃｙ）ユニットの数がＮである場合、プリセットコードブックから、Ｋ＝Ｗ＊Ｎ行、又はＫ＝Ｗ＊Ｎ列をターゲットコードブックとする。
【００４４】
１つの実施例において、前記端末デバイスのアンテナアレイブロックの数が１より大きい場合、前記ターゲットコードブックにはアンテナアレイブロックの選択コードワードが含まれ、前記アンテナアレイブロックの選択コードワードは、上り信号の伝送に使用するターゲットアンテナアレイブロックを選択するために用いられる。
【００４５】
１つの実施例において、前記アンテナアレイブロックの選択コードワードは、アンテナアレイブロックの選択ベクトルとアンテナアレイブロック内のプリコーディング行列とのクロネッカー積である。
【００４６】
具体的に、前記アンテナアレイブロックの選択コードワードがＸ＝Ｙ１＊Ｙ２であり、ここで、＊がクロネッカー積である。Ｙ１がアンテナアレイブロックの選択ベクトルであり、Ｙ１が１つのＷｘ１次元（複数の行、１つの列）のベクトルである。Ｙ１において、ｋ個の要素の値が１であり、Ｗ−ｋ個の要素の値が０である。ここで、Ｗが１より大きい整数であり、Ｗが前記端末デバイスが報告するアンテナアレイブロックの数であり、ｋがターゲットアンテナアレイブロックの数（ｋは、ネットワークデバイスが設定したものである）であり、値が１であるｋ個の要素は、選択されたｋ個のアンテナアレイブロックに対応する。Ｙ２は、アンテナアレイブロック内のプリコーディング行列であり、１つのＮｘｒ次元のベクトルであり、ここで、Ｎが１つのアンテナアレイブロックのアンテナの数又は１つのアンテナアレイブロックのＲＦユニットの数であり、ｒが端末デバイスの現在の伝送層の数である。この方法において、１つのアンテナアレイブロックは、全ての伝送層のデータを伝送し、異なるターゲットアンテナアレイブロックに同じプリコーディング行列を採用している。
【００４７】
１つの実施例において、前記アンテナアレイブロックの選択コードワードは、Ｗ個のアンテナアレイブロックに対応するプリコーディング行列を行ベクトルとして構成したベクトル行列であり、前記Ｗが１より大きい整数である。
【００４８】
具体的に、アンテナアレイブロックの選択コードワードは、
【数１】
2020515139.tif 000003
【００４９】
のベクトル行列であり、
ここで、Ｗが前記端末デバイスが報告するアンテナアレイブロックの数である。ここで、Ｙｉがｉ番目のアンテナアレイブロックに対応するプリコーディング行列であり、ｉが１〜Ｗの任意の数であり、Ｙ１〜ＹＷにおいてｋ個の行列が非０行列であり、他の行列が全０行列であり、ｋは、ターゲットアンテナアレイブロックの数（ｋは、ネットワークデバイスが設定したものである）である。ここで、ｋ個の非０の行列は、ｋ個のアンテナアレイブロックとして選択する。
【００５０】
１つの実施例において、前記アンテナアレイブロックの選択コードワードは、Ｌ個のプリコーディングベクトルを列ベクトルとして構成したベクトル行列であり、前記Ｌが１より大きい整数であり、ここで、前記ベクトル行列内のｉ番目の列ベクトルは、アンテナアレイブロックの選択ベクトルとｉ番目の伝送層のデータを伝送するアンテナアレイブロックが使用するプリコーディングベクトルとのクロネッカー積であり、前記ｉが１〜Ｌの任意の数であり、ここで、前記Ｌは、前記端末デバイスの現在の伝送層の総数、又は、前記端末デバイスの伝送層の許可の最大数である。
【００５１】
具体的に、ベクトル行列内のｉ番目の列ベクトルとして、Ｙｉ＝ｙ１＊ｙ２であり、ここで、＊はクロネッカー積である。ｙ１がアンテナアレイブロックの選択ベクトルであり、１つのＷｘ１次元のベクトルであり、ｙ１内のｗ個の要素の値が１であり、他の要素の値が０である。ここで、Ｗは、前記端末デバイスが報告するアンテナアレイブロックの数であり、ｗは、ｉ番目の伝送層のデータを伝送するアンテナアレイブロックの数であり、値が１であるｗ個の要素は、選択されたｗ個のアンテナアレイブロックに対応する。例えば、ｗの値が１であり、各データストリームが１つのアンテナアレイブロックのみに伝送される。ｙ２は、ｉ番目の伝送層のデータ伝送においてアンテナアレイブロックが使用するプリコーディング行列であり、１つのＮｘ１次元のベクトルであり、ここで、Ｎは、１つのアンテナアレイブロックのアンテナの数又は１つのアンテナアレイブロックのＲＦユニットの数である。この方法において、異なる伝送層のデータは、異なるアンテナアレイブロックに伝送される。
【００５２】
なお、上記の方法において、端末デバイスのアンテナ又はＲＦユニットの番号がアンテナアレイブロックに従って番号をそれぞれ付けると仮定する。例えば、端末デバイスが２つのアンテナアレイブロックを有し、各アンテナアレイブロックが４つのアンテナを有し、この場合、１番目のアンテナアレイブロックのアンテナ番号が１、２、３、４であり、２番目の番号が５、６、７、８である。端末デバイスが他の番号付け方式を利用する場合、例えば、水平方向に沿ってから垂直方向に沿って番号付け方式、又は垂直方向に沿ってから水平方向に沿って番号付け方式を利用する場合、前記アンテナアレイブロックの選択コードワードは、上記の方法によりＸを行変換した行列（Ｘの部分行の位置交換）である。具体的に、図３及び図４に示す。
【００５３】
ステップＳ２０２において、前記端末デバイスが前記ターゲットコードブック内のコードワードを利用してネットワークデバイスに上り信号を伝送する。
【００５４】
１つの実施例において、上記のステップＳ２０２において前記端末デバイスが前記ターゲットコードブック内のコードワードを利用してネットワークデバイスに上り信号を伝送することは、前記端末デバイスが前記ＰＭＩ情報に基づいて前記ターゲットコードブック内のターゲットコードワードを確定し、前記端末デバイスが前記ターゲットコードワードに基づいて、上り信号に対しプリコーディングを行い、プリコーディングされた上り信号を伝送することを含む。
【００５５】
なお、上記のターゲットアンテナアレイブロックの数は、１つであっても良いし、複数であっても良く、本発明はこれを限定しない。
【００５６】
これにより、本願に係る技術案において、端末デバイスが、まず、前記端末デバイスのアンテナアレイブロックの数に基づいてターゲットコードブックを確定し、次に、前記ターゲットコードブック内のコードワードを利用して上り信号を伝送する。そして、本願に係る技術案は、全てのアンテナアレイブロックから一部のアンテナアレイブロックを柔軟に選択して上り信号を伝送することができる。
【００５７】
図５を参照し、図５は本発明の実施例における上り信号の伝送方法のフローチャートを示し、以下のステップを含む。
【００５８】
ステップＳ５０１において、端末デバイスがネットワークデバイスに上りシグナリングを送信し、前記上りシグナリングには前記端末デバイスのアンテナアレイブロックの数が含まれる。
【００５９】
ここで、上記のシグナリングは、上り高レイヤのシグナリング、例えば無線リソース制御プロトコル（ＲＲＣ：Ｒａｄｉｏ  Ｒｅｓｏｕｒｃｅ  Ｃｏｎｔｒｏｌ）シグナリング等である。前記端末デバイスのアンテナアレイブロックの数は、現在の端末デバイスの全てのアンテナアレイブロックの数を示す。
【００６０】
ステップＳ５０２において、前記ネットワークデバイスが前記端末デバイスにより送信された上りシグナリングを受信し、前記ネットワークデバイスが前記端末デバイスにアンテナアレイブロックの指示情報を送信する。
【００６１】
ここで、前記指示情報のビット数は、端末のアンテナアレイブロックの最大数により確定されても良いし、端末が報告するアンテナアレイブロックの数により確定されても良い。例えば、端末のアンテナアレイブロックの最大数をＨとする場合、ｌｏｇ２Ｈ（シーリング）ビットの指示情報を使用する。又は、端末が報告するアンテナアレイブロックの数をＷとする場合、ｌｏｇ２Ｗ（シーリング）ビットの指示情報を使用する。他の実施例において、前記端末が報告するアンテナアレイブロックの数をＷとする場合、Ｗビットの指示情報を使用し、ｂｉｔｍａｐの方式でターゲットアンテナアレイブロックを示す。ここで、Ｗ個のビットの各ビットが１つのアンテナアレイブロックに対応し、ビット値１で対応するアンテナアレイブロックが選択されることを示し、０で選択されないことを示す。
【００６２】
１つの実施例において、前記ネットワークデバイスが前記端末デバイスにアンテナアレイブロックの指示情報を送信することは、前記ネットワークデバイスが高レイヤのシグナリング又は上り信号の伝送をスケジューリングするための下り制御情報（ＤＣＩ：Ｄｏｗｎｌｉｎｋ  Ｃｏｎｔｒｏｌ  Ｉｎｆｏｒｍａｔｉｏｎ）を前記端末デバイス送信することを含み、前記高レイヤのシグナリング又は前記ＤＣＩには前記アンテナアレイブロックの指示情報が含まれる。
【００６３】
１つの実施例において、前記端末デバイスのアンテナアレイブロックの数がＷであり、前記Ｗが１より大きい整数であり、前記ネットワークデバイスが前記端末デバイスにアンテナアレイブロックの指示情報を送信する前に、前記方法は、さらに、ステップＳ５０５及びステップＳ５０６を含む。
【００６４】
ステップＳ５０５において、前記端末デバイスが前記Ｗ個のアンテナアレイブロックをそれぞれ利用してチャネルサウンディング基準信号（ＳＲＳ）を伝送する。
【００６５】
ステップＳ５０６において、前記ネットワークデバイスが、前記端末デバイスが前記Ｗ個のアンテナアレイブロックをそれぞれ利用して伝送する前記ＳＲＳを受信し、前記ネットワークデバイスが前記ＳＲＳに基づいて前記アンテナアレイブロックの指示情報を確定する。
【００６６】
具体的に、ＳＲＳが上りチャネル検出に使用する参照信号であり、端末デバイスがＷ個のアンテナアレイブロックをそれぞれ利用してＳＲＳを伝送し、ネットワークデバイスがＷ個のＳＲＳを受信する。ネットワークデバイスは、Ｗ個のＳＲＳから、Ｗ個のアンテナアレイブロックの伝送性能を把握し、これらのＷ個のアンテナアレイブロックの伝送性能に基づいて１つの指示情報を確定する。この指示情報の内容は、性能が良いアンテナアレイブロックをどのように利用して上り信号を伝送するかを端末デバイスに通知して、上り信号の伝送効率を向上させる。
【００６７】
１つの実施例において、前記端末デバイスが前記Ｗ個のアンテナアレイブロックをそれぞれ利用してＳＲＳを伝送することは、前記端末デバイスがそれぞれ異なるタイミングで前記Ｗ個のアンテナアレイブロックを利用してＳＲＳを伝送することを含む。
【００６８】
具体的に、端末デバイスがそれぞれ異なるタイミングでＷ個のアンテナアレイブロックを利用してＳＲＳを伝送することは、端末デバイスが前記Ｗ個のアンテナアレイブロックを順番利用してＳＲＳを伝送することを含む。例えば、端末デバイスは、まず、第１アンテナアレイブロックを利用してＳＲＳを伝送し、次に、第２アンテナアレイブロックを利用してＳＲＳを伝送し、次に、第３アンテナアレイブロックを利用してＳＲＳを伝送し、以下も同様である。さらに、第１アンテナブロックを使用してＳＲＳを伝送するタイミングと第２アンテナアレイブロックを利用してＳＲＳを伝送するタイミングとの差は、プリセット時間閾値に等しく、第２アンテナブロックを使用してＳＲＳを伝送するタイミングと第３アンテナアレイブロックを利用してＳＲＳを伝送するタイミングとの差も、プリセット時間閾値に等しい。又は、端末デバイスが１回目のＳＲＳ送信に第１アンテナアレイブロックを使用し、２回目のＳＲＳ送信に第２アンテナアレイブロックを使用し、以下も同様である。
【００６９】
１つの実施例において前記端末デバイスが前記Ｗ個のアンテナアレイブロックを利用してＳＲＳを伝送することは、前記端末デバイスが同じタイミングで前記Ｗ個のアンテナアレイブロックをそれぞれ利用してＳＲＳを伝送することを含む。
【００７０】
ステップＳ５０３において、前記端末デバイスが前記ネットワークデバイスにより送信された前記アンテナアレイブロックの指示情報を受信し、前記端末デバイスが前記アンテナアレイブロックの指示情報に基づいて前記端末デバイスのアンテナアレイブロックから上り信号を伝送するためのターゲットアンテナアレイブロックを確定する。
【００７１】
ステップＳ５０４において、前記端末デバイスが前記ターゲットアンテナアレイブロックを利用して前記ネットワークデバイスに上り信号を伝送する。
【００７２】
そして、本願に係る技術案は、端末デバイスがネットワークデバイスからの指示情報に基づいて前記端末デバイスのアンテナアレイブロックから上り信号を伝送するためのターゲットアンテナアレイブロックを選択し、端末デバイスの全てのアンテナアレイブロックから一部のアンテナアレイブロックを選択して上り信号を伝送することができる。
【００７３】
本発明の実施例は端末デバイス６００を提供し、図６に示すように、処理モジュール６０１を含む。
【００７４】
処理モジュール６０１は、前記端末デバイスのアンテナアレイブロックの数に基づいてターゲットコードブックを確定し、前記ターゲットコードブック内のコードワードを利用して上り信号を伝送するように構成される。
【００７５】
１つの実施例において、前記端末デバイスは、さらに、送信モジュール６０２を含む。
【００７６】
送信モジュール６０２は、ネットワークデバイスに上りシグナリングを送信するように構成され、前記上りシグナリングには前記端末デバイスのアンテナアレイブロックの数が含まれ、前記端末デバイスのアンテナアレイブロックの数は、前記ネットワークデバイスが前記ターゲットコードブックを確定するために用いられる。
【００７７】
１つの実施例において、前記端末デバイスと前記ネットワークデバイスとがＭ個のコードブックを予め合意し、各コードブックが少なくとも１つのアンテナアレイブロックの数に対応し、前記処理モジュール６０１は、
コードブックとアンテナアレイブロックの数とのマッピング関係に基づいて、前記端末デバイスのアンテナアレイブロックの数に対応するターゲットコードブックを確定するように構成される。
【００７８】
１つの実施例において、前記端末デバイスと前記ネットワークデバイスとが１つのプリセットコードブックを予め合意し、前記処理モジュール６０１は、
前記端末デバイスのアンテナアレイブロックの数に基づいて前記プリセットコードブックからターゲットコードブックを確定するように構成される。
【００７９】
１つの実施例において、前記端末デバイスのアンテナアレイブロックの数が１より大きい場合、前記ターゲットコードブックにはアンテナアレイブロックの選択コードワードが含まれ、前記アンテナアレイブロックの選択コードワードは、上り信号の伝送に使用するターゲットアンテナアレイブロックを選択するために用いられる。
【００８０】
１つの実施例において、前記アンテナアレイブロックの選択コードワードは、アンテナアレイブロックの選択ベクトルとアンテナアレイブロック内のプリコーディング行列とのクロネッカー積である。
【００８１】
１つの実施例において、前記アンテナアレイブロックの選択コードワードは、Ｗ個のアンテナアレイブロックに対応するプリコーディング行列を行ベクトルとして構成したベクトル行列であり、前記Ｗが１より大きい整数である。
【００８２】
１つの実施例において、前記アンテナアレイブロックの選択コードワードは、Ｌ個のプリコーディングベクトルを列ベクトルとして構成したベクトル行列であり、前記Ｌが１より大きい整数であり、ここで、前記ベクトル行列内のｉ番目の列ベクトルは、アンテナアレイブロックの選択ベクトルとｉ番目の伝送層のデータを伝送するアンテナアレイブロックが使用するプリコーディングベクトルとのクロネッカー積であり、前記ｉが１〜Ｌの任意の数である。
【００８３】
１つの実施例において、前記端末デバイスは、さらに、受信モジュール６０３を含み、
受信モジュール６０３は、前記ネットワークデバイスにより送信されたプリコーディング指示（ＰＭＩ）情報を受信するように構成され、
前記処理モジュールは、前記ＰＭＩ情報に基づいて前記ターゲットコードブック内のターゲットコードワードを確定し、前記ターゲットコードワードに基づいて上り信号に対しプリコーディングを行い、プリコーディングされた上り信号を伝送するように構成される。
【００８４】
１つの実施例において、前記端末デバイスのアンテナアレイブロックの数がＷであり、前記Ｗが１より大きい整数である。
【００８５】
前記送信モジュール６０２は、さらに、前記Ｗ個のアンテナアレイブロックをそれぞれ利用してチャネルサウンディング基準信号（ＳＲＳ）を伝送するように構成され、前記ＳＲＳは、前記ネットワークデバイスが前記ＰＭＩ情報を確定するために用いられる。
【００８６】
１つの実施例において、前記送信モジュール６０２は、
それぞれ異なるタイミングで前記Ｗ個のアンテナアレイブロックを利用してＳＲＳを伝送するように構成される。
【００８７】
なお、上記の各モジュール（処理モジュール６０１、送信モジュール６０２及び受信モジュール６０３）は、上記の方法のステップを実行する。
【００８８】
この実施例において、端末デバイス６００は、モジュールの形態で実現する。ここの「モジュール」は、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ)であり、１つの以上のソフトウェア又はファームウェアプログラムを実行するプロセッサ及びメモリ、集積論理回路、及び／又は上記の機能を提供する他の部品であっても良い。なお、上記の処理モジュール６０１は、図１０に示すコンピューターデバイスのプロセッサ１００１により実現し、送信モジュール６０２及び受信モジュール６０３は、図１０に示すコンピューターデバイスの送受信機１００３により実現する。
【００８９】
本発明の実施例は端末デバイス７００を提供し、図７に示すように、送信モジュール７０１、受信モジュール７０２及び処理モジュール７０３を含む。
【００９０】
送信モジュール７０１は、ネットワークデバイスに上りシグナリングを送信するように構成され、前記上りシグナリングには前記端末デバイスのアンテナアレイブロックの数が含まれる。
【００９１】
受信モジュール７０２は、前記ネットワークデバイスにより送信されたアンテナアレイブロックの指示情報を受信するように構成される。
【００９２】
処理モジュール７０３は、前記アンテナアレイブロックの指示情報に基づいて前記端末デバイスのアンテナアレイブロックから上り信号を伝送するためのターゲットアンテナアレイブロックを確定し、前記ターゲットアンテナアレイブロックを利用して上り信号を伝送するように構成される。
【００９３】
１つの実施例において、前記受信モジュール７０２は、
前記ネットワークデバイスにより送信された高レイヤのシグナリング又は上り信号の伝送をスケジューリングするための下り制御情報（ＤＣＩ）を受信するように構成され、前記高レイヤのシグナリング又は前記ＤＣＩには前記アンテナアレイブロックの指示情報が含まれる。
【００９４】
１つの実施例において、前記端末デバイスのアンテナアレイブロックの数がＷであり、前記Ｗが１より大きい整数である。
【００９５】
前記送信モジュール７０１は、さらに、前記Ｗ個のアンテナアレイブロックをそれぞれ利用してチャネルサウンディング基準信号（ＳＲＳ）を伝送するように構成され、前記ＳＲＳは、前記ネットワークデバイスが前記アンテナアレイブロックの指示情報を確定するために用いられる。
【００９６】
１つの実施例において、前記送信モジュール７０１は、それぞれ異なるタイミングで前記Ｗ個のアンテナアレイブロックを利用してＳＲＳを伝送するように構成される。
【００９７】
なお、上記のモジュール（送信モジュール７０１、受信モジュール７０２及び処理モジュール７０３）は、上記の方法のステップを実行する。
【００９８】
この実施例において、端末デバイス７００は、モジュールの形態で実現する。ここの「モジュール」は、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ)であり、１つの以上のソフトウェア又はファームウェアプログラムを実行するプロセッサ及びメモリ、集積論理回路、及び／又は上記の機能を提供する他の部品であっても良い。なお、上記の処理モジュール７０３は、図１０に示すコンピューターデバイスのプロセッサ１００１により実現し、送信モジュール７０１及び受信モジュール７０２は、図１０に示すコンピューターデバイスの送受信機１００３により実現する。
【００９９】
本発明の実施例はネットワークデバイス８００を提供し、図８に示すように、受信モジュール８０１、処理モジュール８０２及び送信モジュール８０３を含む。
【０１００】
受信モジュール８０１は、端末デバイスにより送信された上りシグナリングを受信するように構成され、前記上りシグナリングには前記端末デバイスのアンテナアレイブロックの数が含まれる。
【０１０１】
処理モジュール８０２は、前記端末デバイスのアンテナアレイブロックの数に基づいてターゲットコードブックを確定するように構成される。
【０１０２】
送信モジュール８０３は、前記端末デバイスにプリコーディング指示（ＰＭＩ）情報を送信するように構成され、前記ＰＭＩ情報は、前記端末デバイスが前記ターゲットコードブック内のコードワードを利用して上り信号を伝送するように指示する。
【０１０３】
１つの実施例において、前記端末デバイスと前記ネットワークデバイスとがＭ個のコードブックを予め合意し、各コードブックが少なくとも１つのアンテナアレイブロックの数に対応し、前記処理モジュール８０２は、
コードブックとアンテナアレイブロックの数とのマッピング関係に基づいて、前記端末デバイスのアンテナアレイブロックの数に対応するターゲットコードブックを確定するように構成される。
【０１０４】
１つの実施例において、前記端末デバイスと前記ネットワークデバイスとが１つのプリセットコードブックを予め合意し、前記処理モジュール８０２は、
前記端末デバイスのアンテナアレイブロックの数に基づいて前記プリセットコードブックからターゲットコードブックを確定するように構成される。
【０１０５】
１つの実施例において、前記端末デバイスのアンテナアレイブロックの数が１より大きい場合、前記ターゲットコードブックにはアンテナアレイブロックの選択コードワードが含まれ、前記アンテナアレイブロックの選択コードワードは、上り信号の伝送に使用するターゲットアンテナアレイブロックを選択するために用いられる。
【０１０６】
１つの実施例において、前記アンテナアレイブロックの選択コードワードは、アンテナアレイブロックの選択ベクトルとアンテナアレイブロック内のプリコーディング行列とのクロネッカー積である。
【０１０７】
１つの実施例において、前記アンテナアレイブロックの選択コードワードは、Ｗ個のアンテナアレイブロックに対応するプリコーディング行列を行ベクトルとして構成したベクトル行列であり、前記Ｗが１より大きい整数である。
【０１０８】
１つの実施例において、前記アンテナアレイブロックの選択コードワードは、Ｌ個のプリコーディングベクトルを列ベクトルとして構成したベクトル行列であり、前記Ｌが１より大きい整数であり、ここで、前記ベクトル行列内のｉ番目の列ベクトルは、アンテナアレイブロックの選択ベクトルとｉ番目の伝送層のデータを伝送するアンテナアレイブロックが使用するプリコーディングベクトルとのクロネッカー積であり、前記ｉが１〜Ｌの任意の数である。
【０１０９】
１つの実施例において、前記端末デバイスのアンテナアレイブロックの数がＷであり、前記Ｗが１より大きい整数である。
【０１１０】
前記受信モジュール８０１は、さらに、前記端末デバイスが前記Ｗ個のアンテナアレイブロックをそれぞれ利用して伝送するチャネルサウンディング基準信号（ＳＲＳ）を受信するように構成される。
【０１１１】
前記処理モジュール８０２は、さらに、前記ＳＲＳに基づいて前記ＰＭＩ情報を確定するように構成される。
【０１１２】
なお、上記の各モジュール（受信モジュール８０１、処理モジュール８０２及び送信モジュール８０３）は、上記の方法のステップを実行する。
【０１１３】
この実施例において、ネットワークデバイス８００は、モジュールの形態で実現する。ここの「モジュール」は、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ)であり、１つの以上のソフトウェア又はファームウェアプログラムを実行するプロセッサ及びメモリ、集積論理回路、及び／又は上記の機能を提供する他の部品であっても良い。なお、上記の処理モジュール８０２は、図１０に示すコンピューターデバイスのプロセッサ１００１により実現し、送信モジュール８０３及び受信モジュール８０１は、図１０に示すコンピューターデバイスの送受信機１００３により実現する。
【０１１４】
本発明の実施例は、ネットワークデバイス９００を提供し、図９に示すように、受信モジュール９０１、送信モジュール９０２及び処理モジュール９０３を含む。
【０１１５】
受信モジュール９０１は、端末デバイスにより送信された上りシグナリングを受信するように構成され、前記上りシグナリングには前記端末デバイスのアンテナアレイブロックの数が含まれる。
【０１１６】
送信モジュール９０２は、前記端末デバイスにアンテナアレイブロックの指示情報を送信するように構成され、前記アンテナアレイブロックの指示情報は、前記端末デバイスが前記端末デバイスのアンテナアレイブロックから上り信号を伝送するためのターゲットアンテナアレイブロックを確定し、前記ターゲットアンテナアレイブロックを利用して上り信号を伝送するために用いられる。
【０１１７】
１つの実施例において、前記送信モジュール９０２は、
高レイヤのシグナリング又は上り信号の伝送をスケジューリングするための下り制御情報（ＤＣＩ）を前記端末デバイスに送信するように構成され、前記高レイヤのシグナリング又は前記ＤＣＩには前記アンテナアレイブロックの指示情報が含まれる。
【０１１８】
１つの実施例において、前記端末デバイスのアンテナアレイブロックの数がＷであり、前記Ｗが１より大きい整数である。
【０１１９】
前記受信モジュール９０１は、さらに、前記端末デバイスが前記Ｗ個のアンテナアレイブロックをそれぞれ利用して伝送するチャネルサウンディング基準信号（ＳＲＳ）を受信するように構成される。
【０１２０】
前記端末デバイスは、さらに、前記処理モジュール９０３を含む。
【０１２１】
前記処理モジュール９０３は、前記ＳＲＳに基づいて前記アンテナアレイブロックの指示情報を確定するように構成される。
【０１２２】
なお、上記の各モジュール（受信モジュール９０１、処理モジュール９０３及び送信モジュール９０２）は、上記の方法のステップを実行する。
【０１２３】
この実施例において、ネットワークデバイス９００は、モジュールの形態で実現する。ここの「モジュール」は、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ)であり、１つの以上のソフトウェア又はファームウェアプログラムを実行するプロセッサ及びメモリ、集積論理回路、及び／又は上記の機能を提供する他の部品であっても良い。なお、上記の処理モジュール９０３は、図１０に示すコンピューターデバイスのプロセッサ１００１により実現し、送信モジュール９０２及び受信モジュール９０１は、図１０に示すコンピューターデバイスの送受信機１００３により実現する。
【０１２４】
図１０に示すように、端末デバイス６００、端末デバイス７００、ネットワークデバイス８００及びネットワークデバイス９００は、図１０に示す構成で実現し、当該コンピューターデバイス１０００は、１つの以上のプロセッサ１００１、少なくとも１つのメモリ１００２及び少なくとも１つの送受信機１００３を含む。前記プロセッサ１００１は、前記通信バスを介して前記メモリ１００２と前記送受信機１００３に接続してその通信を実現する。
【０１２５】
プロセッサ１００１は、ＣＰＵ、マイクロプロセッサ、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ)、又は１つ以上の技術案のプログラムを実行するための集積回路であっても良い。
【０１２６】
送受信機１００３は、他のデバイス又は通信ネットワークと通信し、例えば、イーサネット、無線アクセスネットワーク（ＲＡＮ）、無線ローカルエリアネットワーク(ＷＬＡＮ：Ｗｉｒｅｌｅｓｓ  Ｌｏｃａｌ  Ａｒｅａ  Ｎｅｔｗｏｒｋｓ)が他のデバイス又は通信ネットワークと通信する。
【０１２７】
メモリ１００２は、読み取り専用メモリ（ＲＯＭ：ｒｅａｄ−ｏｎｌｙ  ｍｅｍｏｒｙ)、情報及び命令を記憶する静的ストレージ、ランダムアクセスメモリ（ＲＡＭ：ｒａｎｄｏｍ  ａｃｃｅｓｓ  ｍｅｍｏｒｙ)、情報及び命令を記憶する動的ストレージ、電気的消去可能プログラマブル読み取り専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、読み取り専用光ディスク（ＣＤ−ＲＯＭ：Ｃｏｍｐａｃｔ  Ｄｉｓｃ  Ｒｅａｄ−Ｏｎｌｙ  Ｍｅｍｏｒｙ）、ディスク記憶媒体（圧縮ディスク、レーザーディスク、ＣＤ、汎用ディスク、ブルーレイディスク等）、磁気ディスク記憶媒体又は他の磁気記憶デバイス、命令やプログラムコードを記憶しコンピューターがアクセスする他の媒体であっても良いが、これらを限定しない。メモリは、独立に存在し、バスを介してプロセッサに接続されても良いし、プロセッサに集積されても良い。
【０１２８】
ここで、前記メモリ１００２は、以上の技術案のプログラムコードを記憶し、これをプロセッサ１００１で実行する。前記プロセッサ１００１は、前記メモリ１００２に記憶されたプログラムコードを実行する。
【０１２９】
図１０に示すコンピューターデバイスが端末デバイス６００である場合、メモリ１００２がコードを記憶し、これにより、端末デバイス６００が上り信号の伝送方法を実行し、例えば、端末デバイスが、前記端末デバイスのアンテナアレイブロックの数に基づいてターゲットコードブックを確定し、前記端末デバイスが前記ターゲットコードブック内のコードワードを利用して上り信号を伝送する。
【０１３０】
図１０に示すコンピューターデバイスが端末デバイス７００である場合、メモリ１００２がコードを記憶し、これにより、端末デバイス７００が上り信号の伝送方法を実行し、例えば、端末デバイスがネットワークデバイスに上りシグナリングを送信し、前記上りシグナリングには前記端末デバイスのアンテナアレイブロックの数が含まれ、前記端末デバイスが前記ネットワークデバイスにより送信されたアンテナアレイブロックの指示情報を受信し、前記端末デバイスが前記アンテナアレイブロックの指示情報に基づいて前記端末デバイスのアンテナアレイブロックから上り信号を伝送するためのターゲットアンテナアレイブロックを確定し、前記ターゲットアンテナアレイブロックを利用して上り信号を伝送する。
【０１３１】
図１０に示すコンピューターデバイスがネットワークデバイス８００である場合、メモリ１００２がコードを記憶し、これにより、ネットワークデバイス８００が上り信号の伝送方法を実行し、例えば、ネットワークデバイスが端末デバイスにより送信された上りシグナリングを受信し、前記上りシグナリングには前記端末デバイスのアンテナアレイブロックの数が含まれ、前記ネットワークデバイスが前記端末デバイスのアンテナアレイブロックの数に基づいてターゲットコードブックを確定し、前記ネットワークデバイスが前記端末デバイスにプリコーディング指示（ＰＭＩ）情報を送信し、前記ＰＭＩ情報は、前記端末デバイスが前記ターゲットコードブック内のコードワードを利用して上り信号を伝送するように指示する。
【０１３２】
図１０に示すコンピューターデバイスがネットワークデバイス９００である場合、メモリ１００２がコードを記憶し、これにより、ネットワークデバイス９００が上り信号の伝送方法を実行し、例えば、ネットワークデバイスが端末デバイスにより送信された上りシグナリングを受信し、前記上りシグナリングには前記端末デバイスのアンテナアレイブロックの数が含まれ、前記ネットワークデバイスが前記端末デバイスにアンテナアレイブロックの指示情報を送信し、前記アンテナアレイブロックの指示情報は、前記端末デバイスが前記端末デバイスのアンテナアレイブロックから上り信号を伝送するためのターゲットアンテナアレイブロックを確定し、前記ターゲットアンテナアレイブロックを利用して上り信号を伝送するために用いられる。
【０１３３】
本発明の実施例は、コンピュータ記憶媒体を提供し、ここで、当該コンピュータ記憶媒体はプログラムを記憶し、当該プログラムを実行する場合、上記の実施例の上り信号の伝送方法のステップを実行する。
【０１３４】
なお、前述の方法の実施形態では、簡潔にするために、それらはすべて一連の動作の組み合わせとして説明されているが、当業者は、本発明に説明された一連の動作によって限定されないことを理解されたい。本発明では、いくつかのステップは他の順序でまたは同時に実行することができる。また、当業者はまた、本明細書に記載されている実施形態は好ましい実施形態に属し、その動作および関連する動作は必ずしも本発明によって必要とされないことを理解されたい。
【０１３５】
上記の実施形態では、様々な実施形態の説明に焦点を合わせており、ある実施形態において詳述されていない部分は他の実施形態の関連する説明を参照することができる。
【０１３６】
本出願において提供されるいくつかの実施形態において、開示された装置は他の方法で実施されてもよいことが理解されるべきである。例えば、上述の装置の実施形態は、例示的なものであり、例えば、論理機能分割のみなどの単なる例示であり、実際の実装は別の分割方法を有することができ、例えば複数のユニットまたは構成要素を組み合わせたり統合することができる。別のシステムに移動するか、一部の機能を無視したり実行しないことができます。 図示または説明した別の点、相互結合または直接結合または通信接続は、何らかのインターフェース、装置またはユニットを介した間接結合または通信接続であり得、電気的または他の方法であり得る。
【０１３７】
別々の構成要素として説明されている構成要素は物理的に分離されていてもいなくてもよく、ユニットとして表示されている構成要素が物理的な構成であってもなくてもよい。実施形態の解決策の目的を達成するために、実際の必要性に応じていくつかまたはすべてのユニットを選択することができる。
【０１３８】
また、本発明の各実施形態における各機能部は、１つの処理部に統合されていても、物理的に別々に存在していても、２つ以上の装置が統合されていてもよい。 上記の統合ユニットは、ハードウェアの形態またはソフトウェア機能ユニットの形態で実施することができる。
【０１３９】
統合ユニットは、ソフトウェア機能ユニットの形態で実施され、スタンドアロン製品として販売または使用される場合、コンピュータ可読メモリに格納されてもよい。 そのような理解に基づいて、本発明の技術的解決策は従来技術に貢献することができ、あるいは技術的解決策の全部または一部はメモリに格納されたソフトウェア製品の形で具体化することができる。 コンピュータデバイス（パーソナルコンピュータ、サーバまたはネットワークデバイスなどであり得る）に本発明の様々な実施形態で説明された方法のステップの全部または一部を実行させるための多数の命令が含まれる。 前述のメモリは、プログラムコードを記憶することができるＵディスク、読み取り専用メモリ（ＲＯＭ）、ランダムアクセスメモリ（ＲＡＭ）、リムーバブルハードディスク、磁気ディスク、または光ディスクなどを含む。
【０１４０】
当業者は、前述の実施形態のステップの全部または一部が関連するハードウェアに命令するためのプログラムによって完了することができ、そのプログラムがコンピュータ可読メモリに格納されることができることを理解することができ、読み取り専用メモリ（読み取り専用メモリ、ＲＯＭと呼ばれる）、ランダムアクセサ（ランダムアクセスメモリ、ＲＡＭと呼ばれる）、ディスクまたはＣＤである。
【０１４１】
以上、本発明の実施形態を詳細に説明したが、本発明の原理および実施形態を本明細書で詳細に説明したが、これは本発明の方法およびその中心的な考えを理解するのを助けるためのものである。 本発明は、本発明の範囲によって限定されるものではなく、本発明の範囲によって限定されるものでもない。
【図１】
2020515139.tif 000004
【図２】
2020515139.tif 000005
【図３】
2020515139.tif 000006
【図４】
2020515139.tif 000007
【図５】
2020515139.tif 000008
【図６】
2020515139.tif 000009
【図７】
2020515139.tif 000010
【図８】
2020515139.tif 000011
【図９】
2020515139.tif 000012
【図１０】
2020515139.tif 000013
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
端末デバイスが、前記端末デバイスのアンテナアレイブロックの数に基づいてターゲットコードブックを確定することと、
前記端末デバイスが前記ターゲットコードブック内のコードワードを利用して上り信号を伝送することとを含む
ことを特徴とする上り信号の伝送方法。
【請求項２】
前記端末デバイスが前記端末デバイスのアンテナアレイブロックの数に基づいてターゲットコードブックを確定する前に、
前記端末デバイスがネットワークデバイスに上りシグナリングを送信することをさらに含み、
前記上りシグナリングには前記端末デバイスのアンテナアレイブロックの数が含まれ、前記端末デバイスのアンテナアレイブロックの数は、前記ネットワークデバイスが前記ターゲットコードブックを確定するために用いられる
ことを特徴とする請求項１に記載の上り信号の伝送方法。
【請求項３】
前記端末デバイスと前記ネットワークデバイスとがＭ個のコードブックを予め合意し、各コードブックが少なくとも１つのアンテナアレイブロックの数に対応し、
前記端末デバイスが前記端末デバイスのアンテナアレイブロックの数に基づいてターゲットコードブックを確定することは、
前記端末デバイスがコードブックとアンテナアレイブロックの数とのマッピング関係に基づいて、前記端末デバイスのアンテナアレイブロックの数に対応するターゲットコードブックを確定することを含む
ことを特徴とする請求項１又は２に記載の上り信号の伝送方法。
【請求項４】
前記端末デバイスのアンテナアレイブロックの数が１より大きい場合、前記ターゲットコードブックにはアンテナアレイブロックの選択コードワードが含まれ、前記アンテナアレイブロックの選択コードワードは、上り信号の伝送に使用するターゲットアンテナアレイブロックを選択するために用いられる
ことを特徴とする請求項１〜３のいずれか１項に記載の上り信号の伝送方法。
【請求項５】
前記アンテナアレイブロックの選択コードワードは、アンテナアレイブロックの選択ベクトルとアンテナアレイブロック内のプリコーディング行列とのクロネッカー積である
ことを特徴とする請求項４に記載の上り信号の伝送方法。
【請求項６】
前記アンテナアレイブロックの選択コードワードは、Ｗ個のアンテナアレイブロックに対応するプリコーディング行列を行ベクトルとして構成したベクトル行列であり、前記Ｗが１より大きい整数である
ことを特徴とする請求項４に記載の上り信号の伝送方法。
【請求項７】
前記アンテナアレイブロックの選択コードワードは、Ｌ個のプリコーディングベクトルを列ベクトルとして構成したベクトル行列であり、前記Ｌが１より大きい整数であり、
前記ベクトル行列内のｉ番目の列ベクトルは、アンテナアレイブロックの選択ベクトルとｉ番目の伝送層のデータを伝送するアンテナアレイブロックが使用するプリコーディングベクトルとのクロネッカー積であり、前記ｉが１〜Ｌの任意の数である
ことを特徴とする請求項４に記載の上り信号の伝送方法。
【請求項８】
前記方法は、さらに、
前記端末デバイスが前記ネットワークデバイスにより送信されたプリコーディング指示（ＰＭＩ）情報を受信することを含み、
前記端末デバイスが前記ターゲットコードブック内のコードワードを利用して上り信号を伝送することは、
前記端末デバイスが前記ＰＭＩ情報に基づいて前記ターゲットコードブック内のターゲットコードワードを確定することと、
前記端末デバイスが前記ターゲットコードワードに基づいて、上り信号に対しプリコーディングを行い、プリコーディングされた上り信号を伝送することとを含む
ことを特徴とする請求項１〜７のいずれか１項に記載の上り信号の伝送方法。
【請求項９】
端末デバイスがネットワークデバイスに上りシグナリングを送信することと、
前記端末デバイスが前記ネットワークデバイスにより送信されたアンテナアレイブロックの指示情報を受信することと、
前記端末デバイスが前記アンテナアレイブロックの指示情報に基づいて前記端末デバイスのアンテナアレイブロックから上り信号を伝送するためのターゲットアンテナアレイブロックを確定し、前記ターゲットアンテナアレイブロックを利用して上り信号を伝送することとを含み、
前記上りシグナリングには前記端末デバイスのアンテナアレイブロックの数が含まれる
ことを特徴とする上り信号の伝送方法。
【請求項１０】
前記端末デバイスが前記ネットワークデバイスにより送信されたアンテナアレイブロックの指示情報を受信することは、
前記端末デバイスが前記ネットワークデバイスにより送信された高レイヤのシグナリング又は上り信号の伝送をスケジューリングするための下り制御情報（ＤＣＩ）を受信することを含み、
前記高レイヤのシグナリング又は前記ＤＣＩには前記アンテナアレイブロックの指示情報が含まれる
ことを特徴とする請求項９に記載の上り信号の伝送方法。
【請求項１１】
前記端末デバイスのアンテナアレイブロックの数がＷであり、前記Ｗが１より大きい整数であり、前記端末デバイスが前記ネットワークデバイスにより送信されたアンテナアレイブロックの指示情報を受信する前に、前記方法は、さらに、
前記端末デバイスが前記Ｗ個のアンテナアレイブロックをそれぞれ利用してチャネルサウンディング基準信号（ＳＲＳ）を伝送することを含み、
前記ＳＲＳは、前記ネットワークデバイスが前記アンテナアレイブロックの指示情報を確定するために用いられる
ことを特徴とする請求項９又は１０に記載の上り信号の伝送方法。
【請求項１２】
前記端末デバイスが前記Ｗ個のアンテナアレイブロックをそれぞれ利用してＳＲＳを伝送することは、前記端末デバイスがそれぞれ異なるタイミングで前記Ｗ個のアンテナアレイブロックを利用してＳＲＳを伝送することを含む
ことを特徴とする請求項１１に記載の上り信号の伝送方法。
【請求項１３】
ネットワークデバイスに上りシグナリングを送信するように構成される送信モジュールと、
前記ネットワークデバイスにより送信されたアンテナアレイブロックの指示情報を受信するように構成される受信モジュールと、
前記アンテナアレイブロックの指示情報に基づいて前記端末デバイスのアンテナアレイブロックから上り信号を伝送するためのターゲットアンテナアレイブロックを確定し、前記ターゲットアンテナアレイブロックを利用して上り信号を伝送するように構成される処理モジュールとを含み、
前記上りシグナリングには前記端末デバイスのアンテナアレイブロックの数が含まれる
ことを特徴とする端末デバイス。
【請求項１４】
前記受信モジュールは、前記ネットワークデバイスにより送信された高レイヤのシグナリング又は上り信号の伝送をスケジューリングするための下り制御情報（ＤＣＩ）を受信するように構成され、
前記高レイヤのシグナリング又は前記ＤＣＩには前記アンテナアレイブロックの指示情報が含まれる
ことを特徴とする請求項１３に記載の端末デバイス。
【請求項１５】
前記端末デバイスのアンテナアレイブロックの数がＷであり、前記Ｗが１より大きい整数であり、
前記送信モジュールは、さらに、前記Ｗ個のアンテナアレイブロックをそれぞれ利用してチャネルサウンディング基準信号（ＳＲＳ）を伝送するように構成され、
前記ＳＲＳは、前記ネットワークデバイスが前記アンテナアレイブロックの指示情報を確定するために用いられる
ことを特徴とする請求項１３又は１４に記載の端末デバイス。
【国際調査報告】
2020515139.tif 000014
2020515139.tif 000015
2020515139.tif 000016
2020515139.tif 000017